(57)【要約】      （修正有）【課題】防水機能および放熱機能の双方を有する照明装置を提供する。【解決手段】照明装置１００には、ケース１１０と、ヒートシンクブロック１２０と、ＬＥＤアレイ１３０と、２枚の防水プラスチックシート１４０ａ，１４０ｂと、２つのカバー１５０ａ，１５０ｂとが含まれ、ケース１１０は、流体注入口１１２と、流体吐出口１１４と、２つの仕切り溝１１６とを有し、ヒートシンクブロック１２０は、載置用プラットフォーム１２２と、流路１２４とを有する。ＬＥＤアレイ１３０は、載置用プラットフォーム１２２上に配置され、カバー１５０ａ，１５０ｂは、防水プラスチックシート１４０ａ，１４０ｂおよびケース１１０の一部をそれぞれ覆い、第１の開口部１４２に対応した第２の開口部１５２を有し、流体が第２の開口部１５２および第１の開口部１４２を通じて流路１２４を貫流することにより、ＬＥＤアレイ１３０から熱が放出される。【選択図】図２
2011134703.tif 000002
【特許請求の範囲】
【請求項１】
照明装置であって、
流体注入口と流体吐出口と２つの仕切り溝とを有するケースと、
前記ケース内に設けられた、載置用プラットフォームと流路とを有するヒートシンクブロックであって、当該流路は前記仕切り溝に適合する態様で当該仕切り溝内に設けられており、前記流体注入口および前記流体吐出口と連通するものである、前記ヒートシンクブロックと、
前記ケース内に設けられ、前記ヒートシンクブロックの前記載置用プラットフォーム上に設けられた発光ダイオードアレイであって、前記流路の上に位置付けられるものである、前記発光ダイオードアレイと、
それぞれ前記流体吸入口および前記流体吐出口を覆う２つの防水プラスチックシートであって、それぞれの防水プラスチックシートは第１の開口部を有し、前記流路と連通しているものでる、前記防水プラスチックシートと、
それぞれ前記防水プラスチックシートおよび前記ケースの一部を覆う２つのカバーであって、それぞれのカバーは第２の開口部を有し、当該第２の開口部は前記第１の開口部にそれぞれ対応しているものであり、前記第２の開口部および前記第１の開口部を通じて流体が前記流路を貫流することにより、前記発光ダイオードアレイからの熱が放出されるものである、前記２つのカバーと
を有する照明装置。
【請求項２】
請求項１記載の照明装置において、この照明装置は、さらに、
複数の固定部材を有し、
前記防水プラスチックシートはそれぞれ複数の第１の固定用穴を有し、前記カバーはそれぞれ複数の第２の固定用穴を有するものであり、前記複数の第２の固定用穴はそれぞれ前記複数の第１の固定用穴に対応しており、前記固定部材は前記複数の第２の固定用穴および前記複数の第１の固定用穴を貫通して前記カバーおよび前記防水プラスチックシートを前記ケースに固定するように構成されているものである。
【請求項３】
請求項２記載の照明装置において、この照明装置は、さらに、
２つの端部カバーであって、それぞれ前記カバーと前記防水プラスチックシートとの間に設けられ、それぞれ複数の第３の固定用穴を有するものである、前記２つの端部カバー
を有し、
前記第３の固定用穴はそれぞれ前記第１の固定用穴および前記第２の固定用穴に対応しており、前記固定部材は、前記第２の固定用穴、前記第３の固定用穴、および前記第１の固定用穴を順次貫通することにより、前記カバー、前記端部カバー、および前記防水プラスチックシートを前記ケースに固定するものである。
【請求項４】
照明装置であって、
２つの開口部を有する透明なケースと、
前記透明なケース内に設けられた、第１の空間および第２の空間を画成しているヒートシンク要素であって、前記開口部が前記第１の空間および前記第２の空間を露出させているものである、前記ヒートシンク要素と、
前記ヒートシンク要素上に設けられた、前記第１の空間内に位置する発光構成要素であって、前記透明なケースを透過する光を放射するように構成されたものである、前記発光構成要素と、
前記透明なケースの前記２つの開口部上にそれぞれ設けられた２つの密閉要素であって、前記透明なケースおよび前記ヒートシンク要素と協働して前記第１の空間を密閉する一方、外部への放熱経路として作用する前記第２の空間を露出させるものである、前記２つの密閉要素と
を有する照明装置。
【請求項５】
請求項４記載の照明装置において、前記密閉要素は、
前記透明なケースの２つの開口部をそれぞれ覆い、前記第２の空間を露出させる２枚の防水プラスチックシートと、
前記防水プラスチックシートをそれぞれ覆い、前記第２の空間を露出させる２つの端部カバーと、
前記端部カバー、前記防水プラスチックシート、および前記透明なケースの一部をそれぞれ覆い前記第２の空間を露出させる２つのカバーであって、流体が当該カバーを貫通して前記第２の空間を貫流することにより、前記発光構成要素からの熱を放出するものである、前記２つのカバーと
を有するものである。
【請求項６】
照明装置であって、
透光パイプと、
前記透光パイプ内に設けられた放熱パイプと、
前記放熱パイプ上に設けられた、前記透光パイプと前記放熱パイプとの間に配置された発光構成要素であって、前記透光パイプを透過する光を放射するものである、前記発光構成要素と、
前記透光パイプの両端にそれぞれ設けられた２つの密閉要素であって、前記透光パイプおよび前記放熱パイプと協働して前記発光構成要素を密閉する一方、前記放熱パイプの外部への放熱用経路を露出させるものである、前記２つの密閉要素と
を有する照明装置。
【請求項７】
請求項６記載の照明装置において、前記密閉要素は、
前記透光パイプの両端をそれぞれ覆い、前記放熱パイプの前記経路を露出させる２枚の防水プラスチックシートと、
前記防水プラスチックシートをそれぞれ覆い、前記放熱パイプの前記経路を露出させる２つの端部カバーと、
前記端部カバー、前記防水プラスチックシート、前記透明なケースの一部をそれぞれ覆い、前記放熱パイプの前記経路を露出させる２つのカバーであって、前記流体が当該カバーを貫通して前記経路を貫流することにより、前記発光構成要素からの熱を放出するものである、前記２つのカバーと
を有するものである。
【請求項８】
請求項６記載の照明装置において、この照明装置は、さらに、
複数の固定部材
を有し、
前記密閉要素は複数の固定用穴を有し、前記固定部材は当該固定用穴を貫通して前記密閉要素を前記透光パイプに固定するように構成されているものである。
【請求項９】
請求項６記載の照明装置において、この照明装置は、さらに、
２つの固定用構成要素
を有し、
各前記固定用構成要素は支持部および固定部を有し、当該固定部はそれぞれ前記密閉要素を固定するように構成されており、前記支持部は前記密閉要素を支持するものである。
【請求項１０】
請求項９記載の照明装置において、前記固定用構成要素の少なくとも一方は前記固定部に連結された制限部をさらに有し、当該制限部は、前記固定部が前記密閉要素を固定する際、当該密閉要素の一面に当接して、当該密閉要素の前記固定用構成要素に対する移動を制限するものである。
【発明の詳細な説明】
【技術分野】
【０００１】
本発明は、全体として照明装置に関し、より具体的には、防水機能および放熱機能を実現できる照明装置に関する。
【背景技術】
【０００２】
発光ダイオード（ｌｉｇｈｔ−ｅｍｉｔｔｉｎｇ  ｄｉｏｄｅ：ＬＥＤ）は半導体装置で、主に第ＩＩＩ−Ｖ族化学元素、例えばリン化ガリウム（別名ガリウムリン、ｇａｌｌｉｕｍ  ｐｈｏｓｐｈｉｄｅ：ＧａＰ）やヒ化ガリウム（別名ガリウムヒ素、ｇａｌｌｉｕｍ  ａｒｓｅｎｉｄｅ：ＧａＡｓ）の化合物半導体材料で作製される。化合物半導体材料は、電気エネルギーを光に変換するという特徴がある。より詳細には、化合物半導体材料に電流を与えると、その材料中の電子および正孔が再結合し、これにより余ったエネルギーが光として放出されて、発光作用をもたらす。
【０００３】
一般に、ＬＥＤの発光現象は、熱または放電により生じる発光ではなく常温発光と見なされる。そのため、ＬＥＤの耐用期間は数十万時間を超える場合もあり、ＬＥＤは、アイドリング時間なしで即時動作可能である。また、高速応答（約１０−９秒）、小型、省電力、低汚染（水銀を含まない）、および量産適合性など、ＬＥＤには多くの利点がある。この点で、ＬＥＤは例えば巨大規模の表示パネル、信号、ハンドセット、スキャナ、またはファックス機のための光源など、幅広い種々の分野で応用可能である。
【０００４】
ＬＥＤの発光輝度および発光効率は近年安定した発展を遂げており、高輝度の白色ＬＥＤの量産が実現したことにより、白色ＬＥＤは、徐々に室内照明、街灯、および冷蔵庫内または水中の照明といった照明装置に使用されてきている。高出力ＬＥＤは、一般に放熱問題に直面する。すなわち、ＬＥＤが過度な高温で動作すると、ＬＥＤの輝度が劣化し、ＬＥＤの耐用期間が短くなる可能性が高い。
【０００５】
そのほか、冷蔵庫内または水中の照明として機能するＬＥＤについては、放熱問題を回避できるほか、防水作用があるため、照明の内部構造に電気的障害を及ぼす水分を回避し、特にレンズとヒートシンクブロックとの間に間隙ができる結合部で生じる問題を回避できると考えられている。冷蔵庫内または水中の照明における防水方式では、現在、レンズとヒートシンクブロックとの間に間隙ができる結合部に接着剤を充填する処理を採択して、間隙を充填する処理を行うことがほとんどである。しかしながら、そのような接着剤での充填処理は制御できる可能性が低く、結果的に不適切な効果をもたらしてしまう。これまでに採用されている別の方式は、ヒートシンクブロックを直接レンズ内に封入するもので、その場合、防水設計はレンズの側縁部に対するものだけになるが、レンズ内に直接封入されたヒートシンクブロックは容易に放熱できず、ＬＥＤが過度な温度で動作して、その信頼性が損なわれてしまう。これを受け、多数の開発者は、適切な設計の放熱機能および防水機能を有するＬＥＤを採用した照明器具を作製するプロジェクトに取り組んでいる。
【発明の概要】
【課題を解決するための手段】
【０００６】
上記を鑑み、本発明は、防水機能および放熱機能の双方を有する照明装置を対象としている。
【０００７】
本発明は照明装置を提供するもので、この照明装置には、ケースと、ヒートシンクブロックと、ＬＥＤアレイと、２枚の防水プラスチックシートと、２つのカバーとが含まれる。前記ケースは、流体注入口と、流体吐出口と、２つの仕切り溝とを有する。前記ヒートシンクブロックは、前記ケース内に設けられ、載置用プラットフォームおよび流路を有する。前記流路は、前記仕切り溝に適合する態様で当該仕切り溝内に設けられ、前記流体注入口および前記流体吐出口と流通可能である。前記ＬＥＤアレイは、前記ケース内に設けられ、前記ヒートシンクブロックの前記載置用プラットフォーム上に位置する。前記流路は、前記ＬＥＤアレイの下に位置する。前記防水プラスチックシートは、それぞれ前記流体吸入口および前記流体吐出口を覆う。各前記防水プラスチックシートは、第１の開口部を有する。各前記第１の開口部は、前記流路と流通可能である。前記カバーは、前記防水プラスチックシートと、前記ケースの一部とをそれぞれ覆う。各前記カバーは、第２の開口部を有し、この第２の開口部は、それぞれ前記第１の開口部に対応する。前記ＬＥＤアレイからの熱を放出するよう、流体が、前記第２の開口部および前記第１の開口部を通じて前記流路を貫流する。
【０００８】
本発明の一実施形態では、上記ケースに、照明用拡散レンズ（ａｔｏｍｉｚａｔｉｏｎ  ｌｅｎｓ）または透明なレンズが含まれる。
【０００９】
本発明の一実施形態において、上記ケースは、一対のスライド式フックをさらに有し、前記ヒートシンクブロックは、一対のスライド式レールをさらに有し、前記一対のスライド式フックは、前記ヒートシンクブロックを前記ケースに対しスライドさせるよう、それぞれ前記一対のスライド式レールにロック（係合）する。
【００１０】
本発明の一実施形態では、上記ＬＥＤアレイに、キャリアおよび複数のＬＥＤが含まれる。前記ＬＥＤアレイは、前記キャリア上に配置され、当該キャリアに電気接続される。
【００１１】
本発明の一実施形態では、上記カバーの材料として、金属が含まれる。
【００１２】
本発明の一実施形態では、上記照明装置に、さらに複数の固定部材が含まれる。前記防水プラスチックシートは、それぞれ複数の第１の固定用穴を有し、前記カバーは、それぞれ複数の第２の固定用穴を有する。前記複数の第２の固定用穴は、それぞれ前記複数の第１の固定用穴に対応しており、前記固定部材は、前記第２の固定用穴および前記第１の固定用穴を貫通することにより、前記カバーおよび前記防水プラスチックシートを前記ケースに固定する上で適している。
【００１３】
本発明の一実施形態では、上記照明装置は、さらに、それぞれ前記カバーと前記防水プラスチックシートとの間に設けられた２つの端部カバーを含み、それらの端部カバーは、それぞれ複数の第３の固定用穴を有し、それら第３の固定用穴は、それぞれ前記第１の固定用穴および前記第２の固定用穴に対応する。前記固定部材は、前記第２の固定用穴と、前記第３の固定用穴と、前記第１の固定用穴とを順次貫通することにより、前記カバーと、前記端部カバーと、前記防水プラスチックシートとを、前記ケースに固定する。
【００１４】
本発明の一実施形態において、上記端部カバーは、それぞれ第３の開口部を有し、当該第３の開口部は、それぞれ前記第１の開口部および前記第２の開口部に対応する。
【００１５】
本発明の一実施形態では、上記端部カバーの材料として、防水ゴムが含まれる。
【００１６】
本発明の一実施形態では、上記固定部材として、ネジおよびボルトが含まれる。
【００１７】
本発明の一実施形態では、上記照明装置に、さらに２つの固定用構成要素が含まれ、それらの固定用構成要素は、それぞれ支持部および固定部を有する。前記固定部は、それぞれ前記カバーを固定する上で適しており、前記支持部は、前記カバーを支持するためのものである。
【００１８】
本発明の一実施形態において、上記の固定用構成要素は、それぞれ前記支持部と前記固定部とを連結する枢動ユニットをさらに有し、この枢動ユニットにより、前記固定部は、前記支持部に対し回転することができる。
【００１９】
本発明の一実施形態において、前記固定用構成要素の少なくとも一方は、前記固定部に連結された制限部をさらに有する。前記制限部は、前記固定部が前記カバーを固定する際、当該カバーの一面に当接して、当該カバーの前記固定用構成要素に対する移動を制限する。
【００２０】
本発明の一実施形態において、上述照明装置には、さらに電源コードが含まれ、前記ＬＥＤアレイは、前記電源コードを通じて外部回路に電気接続される。
【００２１】
本発明の一実施形態では、上記流体として、ガスまたは液体が含まれる。
【００２２】
本発明は、透明なケースと、ヒートシンク要素と、発光構成要素と、２つの密閉要素とを含む照明装置も提供する。前記透明なケースは、２つの開口部を有し、前記ヒートシンク要素は、前記透明なケース内に設けられて第１の空間および第２の空間を画成し、前記開口部は、前記第１の空間および前記第２の空間を露出させる。前記発光構成要素は、前記ヒートシンク要素上に設けられて前記第１の空間内に位置し、前記透明なケースを透過する光を発する上で適している。前記密閉要素は、前記透明なケースの前記２つの開口部上にそれぞれ設けられ、前記透明なケースおよび前記ヒートシンク要素と協働して前記第１の空間を密閉するが、外部への放熱経路として作用する前記第２の空間は露出させる。
【００２３】
本発明の一実施形態において、上記透明なケースは、一対のスライド式フックをさらに有し、前記ヒートシンク要素は、一対のスライド式レールをさらに有し、前記一対のスライド式フックは、前記ヒートシンク要素を前記ケースに対しスライドさせるよう、それぞれ前記一対のスライド式レールにロック（係合）する。
【００２４】
本発明の一実施形態では、上記発光構成要素として、ＬＥＤアレイが含まれる。
【００２５】
本発明の一実施形態では、上記ＬＥＤアレイに、キャリアおよび複数のＬＥＤが含まれる。前記ＬＥＤアレイは、前記キャリア上に配置され、当該キャリアに電気接続される。
【００２６】
本発明の一実施形態において、上記密閉要素には、２枚の防水プラスチックシートと、２つの端部カバーと、２つのカバーとが含まれる。前記２枚の防水プラスチックシートは、前記透明なケースの２つの開口部をそれぞれ覆い、前記第２の空間を露出させる。前記２つの端部カバーは、前記防水プラスチックシートをそれぞれ覆い、前記第２の空間を露出させる。前記カバーは、前記端部カバーと、前記防水プラスチックシートと、前記透明なケースの一部とをそれぞれ覆い、前記第２の空間を露出させ、流体が、当該カバーを貫通して前記第２の空間を貫流することにより、前記発光構成要素からの熱を放出する。
【００２７】
本発明の一実施形態では、上記カバーの材料として、金属が含まれる。
【００２８】
本発明の一実施形態では、上記流体として、ガスまたは液体が含まれる。
【００２９】
本発明の一実施形態では、上記端部カバーの材料として、防水ゴムが含まれる。
【００３０】
本発明の一実施形態では、上記照明装置に、さらに複数の固定部材が含まれる。前記密閉要素は、複数の固定用穴を有し、前記固定部材は、当該固定用穴を貫通して前記密閉要素を前記透明なケースに固定する上で適している。
【００３１】
本発明の一実施形態では、上記固定部材として、ネジおよびボルトが含まれる。
【００３２】
本発明の一実施形態では、上記照明装置に、さらに２つの固定用構成要素が含まれ、それらの固定用構成要素は、それぞれ支持部および固定部を有する。前記固定部は、それぞれ前記密閉要素を固定する上で適しており、前記支持部は、前記密閉要素を支持するためのものである。
【００３３】
本発明の一実施形態において、上記の固定用構成要素は、それぞれ前記支持部と前記固定部とを連結する枢動ユニットをさらに有し、この枢動ユニットにより、前記固定部は、前記支持部に対し回転することができる。
【００３４】
本発明の一実施形態において、前記固定用構成要素の少なくとも一方は、前記固定部に連結された制限部をさらに有する。前記制限部は、前記固定部が前記密閉要素を固定する際、当該密閉要素の一面に当接して、当該密閉要素の前記固定用構成要素に対する移動を制限する。
【００３５】
本発明の一実施形態において、上述照明装置には、さらに電源コードが含まれ、前記発光構成要素は、前記電源コードを通じて外部回路に電気接続される。
【００３６】
本発明は、透光パイプと、放熱パイプと、発光構成要素と、２つの密閉要素とを含む照明装置も提供する。前記放熱パイプは、前記透光パイプ内に設けられる。前記発光構成要素は、前記放熱パイプ上に設けられ、前記透光パイプと前記放熱パイプとの間に位置する。この発光構成要素は、前記透光パイプを透過する光を発するためのものである。前記密閉要素は、前記透光パイプの両端にそれぞれ設けられ、前記透光パイプおよび前記放熱パイプと協働して前記発光構成要素を密閉し、前記放熱パイプの外部への放熱用経路を露出させる。
【００３７】
本発明の一実施形態では、上記発光構成要素として、ＬＥＤアレイが含まれる。
【００３８】
本発明の一実施形態では、上記ＬＥＤアレイに、キャリアおよび複数のＬＥＤが含まれる。前記ＬＥＤアレイは、前記キャリア上に配置され、当該キャリアに電気接続される。
【００３９】
本発明の一実施形態において、上記密閉要素には、２枚の防水プラスチックシートと、２つの端部カバーと、２つのカバーとが含まれる。前記２枚の防水プラスチックシートは、前記透光パイプの両端をそれぞれ覆い、前記放熱パイプの前記経路を露出させる。前記２つの端部カバーは、前記防水プラスチックシートをそれぞれ覆い、前記放熱パイプの前記経路を露出させる。前記カバーは、前記端部カバーと、前記防水プラスチックシートと、前記透明パイプの一部とをそれぞれ覆い、前記放熱パイプの前記経路を露出させ、流体が、当該カバーを貫通して前記経路を貫流することにより、前記発光構成要素からの熱を放出する。
【００４０】
本発明の一実施形態では、上記カバーの材料として、金属が含まれる。
【００４１】
本発明の一実施形態では、上記流体として、ガスまたは液体が含まれる。
【００４２】
本発明の一実施形態では、上記端部カバーの材料として、防水ゴムが含まれる。
【００４３】
本発明の一実施形態では、上記照明装置に、さらに複数の固定部材が含まれる。前記密閉要素は、複数の固定用穴を有し、前記固定部材は、当該固定用穴を貫通して前記密閉要素を前記透光パイプに固定する上で適している。
【００４４】
本発明の一実施形態では、上記固定部材として、ネジおよびボルトが含まれる。
【００４５】
本発明の一実施形態では、上記照明装置に、さらに２つの固定用構成要素が含まれ、それらの固定用構成要素は、それぞれ支持部および固定部を有する。前記固定部は、それぞれ前記密閉要素を固定する上で適しており、前記支持部は、前記密閉要素を支持するためのものである。
【００４６】
本発明の一実施形態において、上記の固定用構成要素は、それぞれ前記支持部と前記固定部とを連結する枢動ユニットをさらに有し、この枢動ユニットにより、前記固定部は、前記支持部に対し回転することができる。
【００４７】
本発明の一実施形態において、前記固定用構成要素の少なくとも一方は、前記固定部に連結された制限部をさらに有する。前記制限部は、前記固定部が前記密閉要素を固定する際、当該密閉要素の一面に当接して、当該密閉要素の前記固定用構成要素に対する移動を制限する。
【００４８】
本発明の一実施形態において、上述照明装置には、さらに電源コードが含まれ、前記発光構成要素は、前記電源コードを通じて外部回路に電気接続される。
【００４９】
上記の描写によると、本発明の照明装置で使用される前記ヒートシンクブロックは、流路を有することにより、前記ヒートシンクブロックを使った受動的な放熱と、前記流路を貫流する流体を使った能動的な放熱とが可能である。その結果、前記ＬＥＤアレイの熱が放出され、当該照明装置の放熱効率を先進的なものにしている。また、本発明の照明装置は、防水プラスチックシートを使った防水設計になっており、前記流体が前記流路を貫流する際、前記ＬＥＤアレイは、水分の浸入を効果的に回避し、より優れた防水効果を得ることができる。すなわち、本発明の照明装置は、良好な放熱機能および良好な防水機能の双方を有する。
【図面の簡単な説明】
【００５０】
以下の添付の図面は、本発明の理解を深めるよう含められており、本明細書に盛り込まれ、その一部を構成している。これらの図面は、本発明の実施形態を例示したもので、本発明の説明と併せて本発明の原理を説明する役割を果たしている。
【図１】図１は、本発明の一実施形態に係る照明装置の図である。
【図２】図２は、図１の照明装置の分解図である。
【図３】図３は、図２の照明装置の一部の局部拡大図である。
【図４】図４は、図１の線Ｉ−Ｉ'に沿った断面図である。
【発明を実施するための形態】
【００５１】
以下、本発明の好適な実施形態を添付の図面に例示して詳しく参照する。これらの図面および説明では、同一または類似の部品を参照する場合、可能な限り同一の参照番号を使用する。
【００５２】
本発明では、照明装置に、ケースと、ヒートシンク要素と、発光する構成要素（発光構成要素）と、２つの密閉要素とを含めることができ、その場合、前記ヒートシンク要素は、前記ケース内に配置され、前記発光構成要素は、前記ケースと前記ヒートシンク要素との間に配置され、前記密閉要素が、前記ケースおよび前記ヒートシンク要素と協働して、外部への放熱用経路を密閉し、露出させる。本発明のこの実施形態において、前記経路は、例えばガスや液体などの流体が流通できるようにする上で適した流路であってよい。前記ケースは、例えば透明なケースまたは透光パイプである。前記ヒートシンク要素は、例えば放熱パイプまたはヒートシンクブロックである。前記発光構成要素は、例えばＬＥＤアレイである。前記密閉要素は、例えば２枚の防水プラスチックシートと、２つの端部カバーと、２つのカバーとを有する。前記発光構成要素の熱は、前記ヒートシンク要素を使った受動的な放熱と、前記経路を流通する前記流体による能動的な放熱とにより放出できるため、本発明の照明装置の放熱効率は先進的である。また、前記照明装置には、前記密閉要素を使用した防水設計も施されているため、前記流体が前記経路を貫流する際、前記発光構成要素は、水分の浸入を効果的に回避し、より優れた防水効果を得ることができる。すなわち、本発明の照明装置は、良好な放熱機能および良好な防水機能の双方を有する。以下、一実施形態を説明して、当該照明装置の設計を詳述する。
【００５３】
図１は、本発明の一実施形態に係る照明装置の図であり、図２は、図１の照明装置の分解図であり、図３は、図２の照明装置の一部の局部拡大図であり、図４は、図１の線Ｉ−Ｉ'に沿った断面図である。なお、簡略化のため、図３および図４では、固定構成要素を省略している。図１および図２を参照すると、この実施形態では、照明装置１００に、ケース１１０と、ヒートシンクブロック１２０と、ＬＥＤアレイ１３０と、２枚の防水プラスチックシート１４０ａおよび１４０ｂと、２つのカバー１５０ａおよび１５０ｂとが含まれる。
【００５４】
より細部を見ると、前記ケース１１０は、流体注入口１１２と、流体吐出口１１４と、２つの仕切り溝１１６と、一対のスライド式フック１１８とを有する。この実施形態において、当該ケース１１０は、例えば照明用拡散レンズ（ａｔｏｍｉｚａｔｉｏｎ  ｌｅｎｓ）または透明なレンズで、例えばパイプの形状を有し、前記流体注入口１１２および前記流体吐出口１１４は互いに反対側にある。このケース１１０の前記仕切り溝１１６および前記スライド式フック１１８は、一体的に形成できる。
【００５５】
前記ヒートシンクブロック１２０は、当該ケース１１０内に設けられ、載置用プラットフォーム１２２と、流路１２４と、一対のスライド式レール１２６とを有する。前記流路１２４は、このケース１１０の前記仕切り溝１１６に適合する態様で当該仕切り溝１１６内に設けられ、当該ケース１１０の前記流体注入口１１２および前記流体吐出口１１４と流通可能である。特に、当該ケース１１０の前記一対のスライド式フック１１８は、前記ヒートシンクブロック１２０の前記一対のスライド式レール１２６にロック（係合）することにより、前記ヒートシンクブロック１２０を当該ケース１１０に対しスライドさせて当該ケース１１０内に配置できるようにする（図３に示す）。この実施形態において、前記ヒートシンクブロック１２０の前記載置用プラットフォーム１２２および前記スライド式レール１２６は一体的に形成でき、前記ヒートシンクブロック１２０の材料としては、金属などがある。
【００５６】
前記ＬＥＤアレイ１３０は、当該ケース１１０内に設けられ、前記ヒートシンクブロック１２０の前記載置用プラットフォーム１２２上に位置し、キャリア１３２および複数のＬＥＤ  １３４を含む。前記ＬＥＤ  １３４は、前記キャリア１３２上に配置され、当該キャリア１３２に電気接続される。実際には、前記ヒートシンクブロック１２０の前記載置用プラットフォーム１２２上に前記ＬＥＤアレイ１３０を配設する前に、前記キャリア１３２の前記載置用プラットフォーム１２２側表面に導電材料（図示せず）を塗布または貼付し、この導電材料が、前記ＬＥＤアレイ１３０の前記キャリア１３２と、前記ヒートシンクブロック１２０の前記載置用プラットフォーム１２２との間に位置するようにできる。本明細書における導電材料とは、例えば導電ペースト、導電テープ、その他非導電材料であって、前記ＬＥＤアレイ１３０と前記ヒートシンクブロック１２０との間の付着力を高めるだけでなく、前記ヒートシンクブロック１２０の放熱効果を高める上で役立つものをいう。
【００５７】
この実施形態では、複数の固定用穴１３６が、前記ＬＥＤアレイ１３０の前記キャリア１３２に開けられ、それらの固定用穴１３６に対応した複数の位置決め用穴１２８が、前記ヒートシンクブロック１２０の前記載置用プラットフォーム１２２に開けられる。一方、当該照明装置には、さらに複数の固定部材１６０が含まれ、これらが各々前記固定用穴１３６および前記位置決め用穴１２８を貫通して、前記ＬＥＤアレイ１３０の前記キャリア１３２を、前記ヒートシンクブロック１２０の前記載置用プラットフォーム１２２に固定する。この実施形態において、前記固定部材１６０は、例えばネジまたはボルトである。特に、この実施形態では、前記ヒートシンクブロック１２０の前記流路１２４が、ＬＥＤアレイ１３０の直下に位置する。さらに、前記照明装置１００には、さらに電源コード１９０を含めることができ、前記ＬＥＤアレイ１３０は、この電源コード１９０を通じて外部回路（図示せず）に電気接続される。
【００５８】
図２および図３を参照すると、前記防水プラスチックシート１４０ａが前記流体注入口１１２を覆い密着している一方、前記防水プラスチックシート１４０ｂは、前記流体注入口１１４を覆い密着している。各前記防水プラスチックシート（１４０ａまたは１４０ｂ）は、第１の開口部１４２および複数の第１の固定用穴１４４を有し、前記第１の開口部１４２は前記流路１２４と流通可能である。すなわち、図２および図４を参照すると、前記防水プラスチックシート１４０ａの第１の開口部１４２と、前記流路１２４と、前記防水プラスチックシート１４０ｂの第１の開口部１４２とは、互いに連通している。すなわち、前記防水プラスチックシート１４０ａおよび１４０ｂの設計により、前記ヒートシンクブロック１２０の前記載置用プラットフォーム１２２上にある前記ＬＥＤアレイ１３０は、前記流路１２４から隔離される。
【００５９】
前記カバー１５０ａは、前記防水プラスチックシート１４０ａと、前記ケース１１０の一部（前記流体注入口１１２側の端部に隣接した前記ケース１１０の一部）とを覆う一方、前記カバー１５０ｂは、前記防水プラスチックシート１４０ｂと、前記ケース１１０の一部（前記流体吐出口１１４側の端部に隣接した前記ケース１１０の一部）とを覆う。この実施形態において、各カバー（１５０ａまたは１５０ｂ）は、第２の開口部１５２および複数の第２の固定用穴１５４を有し、前記第２の開口部１５２は、それぞれ前記第１の開口部１４２に対応しており前記流路１２４と流通可能である。これは、前記カバー１５０ａの前記第２の開口部１５２と、前記防水プラスチックシート１４０ａの前記第１の開口部１４２と、前記流路１２４と、前記防水プラスチックシート１４０ｂの前記第１の開口部１４２と、前記カバー１５０ｂの前記第２の開口部１５２とが、互いに連通していることを意味する（図２および図４を参照）。また、前記カバー１５０ａおよび１５０ｂの前記第２の固定用穴１５４は、それぞれ前記防水プラスチックシート１４０ａおよび１４０ｂの前記第１の固定用穴１４４に対応している。前記カバー１５０ａおよび１５０ｂの材料としては、金属などがある。
【００６０】
前記防水効果を高めるため、この実施形態の照明装置１００には、さらに、２つの端部カバー１７０ａおよび１７０ｂが含まれ、前記２つの端部カバー１７０ａは、前記カバー１５０ａと前記防水プラスチックシート１４０ａとの間に配置され、前記２つの端部カバー１７０ｂは、前記カバー１５０ｂと前記防水プラスチックシート１４０ｂとの間に配置される。この実施形態において、各端部カバー（１７０ａまたは１７０ｂ）は、第３の開口部１７２および複数の第３の固定用穴１７４を有し、前記第３の開口部１７２は、それぞれ前記第１の開口部１４２および第２の開口部１５２に対応しており前記流路１２４と流通可能である。これは、前記カバー１５０ａの前記第２の開口部１５２と、前記端部カバー１７０ａの前記第３の開口部１７２と、前記防水プラスチックシート１４０ａの前記第１の開口部１４２と、前記流路１２４と、前記防水プラスチックシート１４０ｂの前記第１の開口部１４２と、前記端部カバー１７０ｂの前記第３の開口部１７２と、前記カバー１５０ｂの前記第２の開口部１５２とが、互いに連通していることを意味する（図２および図４を参照）。さらに、前記端部カバー１７０ａおよび前記端部カバー１７０ｂの前記第３の固定用穴１７４は、それぞれ前記防水プラスチックシート１４０ａおよび１４０ｂの前記第１の固定用穴１４４と、前記カバー１５０ａおよび１５０ｂの前記第２の固定用穴１５４とに対応している。前記固定部材１６０は、前記第２の固定用穴１５４と、前記第３の固定用穴１７４と、前記第１の固定用穴１４４とを順次貫通して、前記カバー１５０ａおよび１５０ｂと、前記端部カバー１７０ａおよび１７０ｂと、前記防水プラスチックシート１４０ａおよび１４０ｂとを、前記ケース１１０にしっかり固定し、この場合、前記端部カバー１７０ａおよび１７０ｂの材料としては、防水ゴムなどがある。
【００６１】
続いて図１および図４を参照すると、この実施形態では、流体２００が、前記カバー１１０の前記流体注入口１１２から、前記カバー１５０ａの前記第２の開口部１５２と、前記端部カバー１７０ａの前記第３の開口部１７２と、前記防水プラスチックシート１４０ａの前記第１の開口部１４２とを通じて、前記流路１２４へ順次流れることが可能なことに注意すべきである。次いで、前記流体２００は、前記ＬＥＤアレイ１３０の熱とともに、前記ケース１１０の前記流体吐出口１１４から、前記防水プラスチックシート１４０ｂの前記第１の開口部１４２と、前記端部カバー１７０ｂの前記第３の開口部１７２と、前記カバー１５０ｂの前記第２の開口部１５２とを通じて、順次流れることにより、前記ＬＥＤアレイ１３０の熱を放出する。本明細書において、前記流体２００は、例えばガスまたは液体である。この実施形態の前記流路１２４は、前記ＬＥＤアレイ１３０の下に位置するため、この実施形態の前記照明装置１００は、受動的な放熱も能動的な放熱も行うことができ、前記受動的な放熱は、前記ヒートシンクブロック１２０により実現され、能動的な放熱は、前記流路１２４を貫流する前記流体２００により実現される。このように、当該照明装置１００の放熱効率を高くすることができる。
【００６２】
本実施形態の前記防水プラスチックシート１４０ａおよび１４０ｂの設計により、前記ヒートシンクブロック１２０の前記載置用プラットフォーム１２２上に位置する前記ＬＥＤアレイ１３０は、前記流路１２４から効果的に隔離され、また前記防水プラスチックシート１４０ａおよび１４０ｂは、前記第１の開口部１４２および前記流路１２４を流通可能にする。そのため、前記流体２００が前記流路１２４を貫流する際、前記ＬＥＤアレイ１３０は、水分の浸入を効果的に防止でき、前記流体２００が前記流路１２４を貫流することで前記能動的な放熱も行われる。すなわち、本実施形態の照明装置１００は、より優れた放熱効果およびより優れた防水効果の双方を有する。なお特筆すべき点として、この実施形態の前記防水プラスチックシート１４０ａおよび１４０ｂの防水実験において、好ましい場合には、当該照明装置１００は、ＬＥＤアレイ１３０への水分の浸入を避けるには、前記水面より１，０００ｍｍ下のレベルに連続して３０分間配置することができる。すなわち、本実施形態の照明装置１００は、同時に優れた放熱効果およびより優れた防水効果を有する。
【００６３】
図１および図２を参照すると、当該実施形態において、前記照明装置は、さらに２つの固定用構成要素１８０ａおよび１８０ｂを有し、前記固定用構成要素１８０ａは支持部１８２ａと、固定部１８４ａと、枢動ユニット１８６ａと、制限部１８８ａとを有する。前記固定用構成要素１８０ｂは、支持部１８２ｂと、固定部１８４ｂと、枢動ユニット１８６ｂとを有する。より詳細には、前記固定部１８４ａおよび１８４ｂは、それぞれ前記カバー１５０ａおよび１５０ｂを固定する上で適しており、前記支持部１８２ａおよび１８２ｂも、前記カバー１５０ａおよび１５０ｂを支持する上で適している。前記枢動ユニット１８６ａおよび１８６ｂは、それぞれ前記支持部１８２ａおよび前記固定部１８４ａと、前記支持部１８２ｂおよび前記固定部１８４ｂとを連結しているため、前記固定部１８４ａおよび１８４ｂは、それぞれ前記枢動ユニット１８６ａおよび１８６ｂを介して前記支持部１８２ａおよび１８２ｂに対し回転可能となり、当該照明装置１００の向きを変えられるようにしている。前記制限部１８８ａは、前記固定部１８４ａに連結されている。前記固定用構成要素１８０ａのこの制限部１８８ａは、前記固定部１８４ａおよび１８４が、それぞれ前記カバー１５０ａおよび１５０ｂを固定する際、前記カバー１５０ａの一面に当接して、当該カバー１５０ａの前記固定用構成要素１８０ａに対する移動を制限する。その際、他方の固定用構成要素１８０ｂの前記固定部１８４ｂを、前記カバー１５０ｂに対し、必要な位置まで動かして調整することができる。
【００６４】
なお本明細書において、前記固定用構成要素１８０ａは、前記支持部１８２ａと、前記固定部１８４ａと、前記枢動ユニット１８６ａと、前記制限部１８８ａとの組み合わせ構造により実施され、前記固定用サブアセンブリ１８０ｂは、前記支持部１８２ｂと、前記固定部１８４ｂと、前記枢動ユニット１８６ｂとの組み合わせ構造により実施されているが、本発明は、前記固定用構成要素１８０ａおよび１８０ｂの実施構造を限定するものではない。上記と同じ固定効果が実現可能ないかなる公知の構造も、本発明の範囲を逸脱しない範囲で、本発明により採択される技術方式に含まれる。すなわち、当業者であれば、本明細書で示さなかった他の実施形態において、用途の必要性に基づいて所要の技術効果を達成するよう、上記の構造を自由裁量で選択することができる。
【００６５】
要約すると、本発明の照明装置で使用される前記ヒートシンクブロックは、流路を有することにより、前記ヒートシンクブロックを使った受動的な放熱と、前記流路を貫流する流体を使った能動的な放熱とが可能である。その結果、前記ＬＥＤアレイの熱が放出され、当該照明装置の放熱効率を先進的なものにしている。また、本発明の照明装置は、防水プラスチックシートを使った防水設計になっており、前記流体が前記流路を貫流する際、前記ＬＥＤアレイは、水分の浸入を効果的に回避し、より優れた防水効果を得ることができる。すなわち、本発明の照明装置は、良好な放熱機能および良好な防水機能の双方を有する。
【００６６】
当業者であれば、上記の説明は、単に本発明のいくつかの好適な実施形態に関するものであり、本発明の実施範囲を限定するものではないことが明確に理解されるであろう。本発明の構造については、本発明の要旨を逸脱しない範囲で、種々の変更（修正）形態および変形形態が可能である。
【図１】
2011134703.tif 000003
【図２】
2011134703.tif 000004
【図３】
2011134703.tif 000005
【図４】
2011134703.tif 000006